(57)【特許請求の範囲】
【請求項１】
導体を絶縁体で被覆してなる信号用ケーブルの複数本と各信号ケーブルの両端末部の導体を固着するための端子部を含むハーネスにおいて、該複数本の信号ケーブルの少なくとも一部に、同一外径の信号ケーブルの３本ツイスト撚り構造体が金属テープにより一括被覆されることなく、高周波差動信号の伝送用として配されていることを特徴とする差動信号伝送用ハーネス。
【請求項２】
該信号ケーブルの導体径が０．０９ｍｍ〜０．５mmの範囲にある請求項１に記載の差動信号伝送用ハーネス。
【請求項３】
該３本ツイスト撚りケーブルの撚りピッチが３ｍｍ〜２０mmの範囲にある請求項１または２に記載の差動信号伝送用ハーネス。
【請求項４】
１０ＭＨｚ〜２０００ＭＨｚの範囲にある高周波差動信号の周波数を伝送するのに有用な、請求項１〜３のいずれかに記載の差動信号伝送用ハーネス。
【発明の詳細な説明】
【０００１】
【発明の属する技術分野】
本発明は、差動信号伝送用ハーネス、特に高周波差動信号を伝送するのに有用なハーネスに関する。
【０００２】
【従来の技術】
近年、パソコン等の電子機器の高速化と相俟って採用する信号の伝送速度も高速化し併せて、使用する信号の種類も増加してきている。このような要求に応えるため、２本の信号ケーブルと１本のドレイン線との３本ツイスト撚り構造体の外周をアルミテープ等の金属テープで一括被覆してなる差動信号伝送用ケーブルを配したハーネスが知られている（特開２００２−３０４９２１号公報）。
しかしながら、このハーネスでは、金属テープによる一括被覆に因るためか、信号波形に“なまり”が発生し、特に高周波差動信号に対する伝送特性が未だ充分ではない。同時に、金属テープによる被覆のため、ケーブル全体として可撓性もなく、ハーネスへの取付時に支障をきたしていた。
【０００３】
【発明が解決しようとする課題】
したがって、本発明の課題は、上記の問題点を解消することにより、高周波差動信号に対する伝送特性に優れるとともに取扱性の改善された差動信号伝送用ハーネスを提供することにある。
【０００４】
【課題を解決するための手段】
本発明者等は、高周波差動信号を伝送する信号ケーブルとして、同一外径のケーブルの３本ツイスト撚り構造体を採用するとき、従来の一括被覆を不要とし、“なまり”と取扱性の問題を容易に解消できることを究明した。
かくして、本発明によれば、導体を絶縁体で被覆してなる信号ケーブルの複数本と各信号ケーブルの両端末部の導体を固着するための端子部を含むハーネスにおいて、該複数本の信号ケーブルの少なくとも一部に、同一外径の信号ケーブルの３本ツイスト撚り構造体が金属テープにより一括被覆されることなく、高周波差動信号の伝送用として配されていることを特徴とする差動信号伝送用ハーネスが提供される。
【０００５】
【発明の実施の形態】
以下、本発明を、独立した３本の信号ケーブル（単線）と、同一外径の信号ケーブルの３本ツイスト撚り構造体２組とを併用した差動信号伝送用ハーネスについて、添付図面を参照しながら説明する。
図１は、本発明にしたがって、同一外径の信号ケーブルの３本ツイスト撚り構造体を配した差動信号伝送用ハーネスの一例を示す平面図である。
図２は、上記同一外径の信号用ケーブルの３本ツイスト撚り構造体の横断面図である。
図１〜図２において、（１）は導体（１ａ）と絶縁体（１ｂ）とからなる信号ケーブル、（２）は高周波差動信号を伝送するための、同一外径の３本の信号ケーブル（１）からなる３本ツイスト撚り構造体、そして（３）は各ケーブルの両端末部の導体が接続された端子部である。
【０００６】
本発明で特徴的なことは、複数の独立した信号ケーブルの内、差動信号、特に高周波差動信号を伝送するケーブル部分に、同一外径の信号ケーブルの３本ツイスト撚り構造体（図では２組）を金属テープにより一括被覆することなく配したことに在る。こうすることにより、高周波差動信号がひずむことなく伝送され且つ、ケーブル全体としても撚り構造による可撓性が確保され、取扱性が格段に改善される。
ここで、差動信号用ケーブルとしては、一般にはツイスト撚り、横巻き、さらには編組等が知られているが、本発明においては高周波伝送特性と可撓性とを両立させるため、同一外径の信号ケーブルの３本ツイスト撚り構造体を採用することが不可欠である。その際、撚りピッチが３ｍｍ〜２０ｍｍの範囲にあるとき、上記の二つの特性がバランス良く両立する。
【０００７】
この同一外径の信号ケーブルの３本ツイスト撚り構造体（２）により、高周波差動信号を伝送する際には、そのうちの任意の２本を高周波差動信号伝送用とし、残り１本をドレイン線として割り当てればよい。また、複数の高周波差動信号を伝送する場合には、伝送する高周波差動信号の数に応じて、同一外径の信号ケーブルの３本ツイスト撚り構造体（２）を複数組配置すればよい。これら複数組の配置についても特段の制約は無く、自由に配置可能である。
本発明によれば、信号ケーブル（１）の導体（１ａ）の外径が特に０．０９ｍｍ〜０．５mmという極細径であるとき、前記の３ｍｍ〜２０mmの撚りピッチの効果と相俟って、伝送特性並びに可撓性がより改善される。しかもこの効果は、同一外径の極細同軸ケーブルの３本ツイスト撚り構造体（２）において、理想的にバランスすることも確認された。ここで、前記の導体（１ａ）を被覆する絶縁体（１ｂ）については格別の制約はなく、斯界で採用されているフッ素樹脂、ポリエチレン、さらにはポリスチレン等が採用される。
以上は、通常の２つの位相からなる２値差動信号を伝送するハーネスの例であるが、本発明のハーネスは３つ以上の位相からなる多値差動信号に対しても展開できることは言うまでもない。この場合、本発明の差動信号伝送用ハーネスは、１０ Ｍ Ｈｚ〜 ２０００Ｍ Ｈｚの範囲の高周波差動信号に対して有効に機能する。
さらに、本発明の差動信号伝送用ハーネスは、信号形態に応じて、ツインパラレル方式やトリプル方式等周知の信号ケーブルを混在させた複合形態としてもよい。
【０００８】
以下に、本発明の差動信号伝送用ハーネスの一実施例を図１〜図２の場合について示す。
先ず、素線径が１０２μｍの錫めっき軟銅線の７本を同芯撚りした直径が０．３０５ｍｍの極細導体（１ａ）の周りに、絶縁体（１ｂ）としてフッ素樹脂（ＦＥＰ）を被覆して、外径０．４ｍｍ、長さ２４０ｍｍの信号ケーブル（１）を９本用意した。次に、これらケーブルの内、６本の信号ケーブル（１）を使用して、２種類の高周波差動信号を伝送するための、３本ツイスト撚り構造体（２）を２組用意した。その際、撚りピッチは１０．６ｍｍとした。最後に、残りの３本の信号ケーブル（１）、および２組の３本ツイスト撚りケーブル（２）の両端末の導体を１．５ｍｍ露出させ、挿入治具で各導体部を９極のナイロン製の圧入端子からなる端子部（３）に挿入して、本発明の差動信号伝送用ハーネスを完成した。
このハーネスに２８０ＭＨｚの高周波差動信号を印加して信号伝送特性の目安となる、アイパターン特性等を測定した。その結果、信号波形の“なまり”はほとんど発生せず、しかも、信号の分離が明確な、優れたアイパターン特性が得られた。
【０００９】
【発明の効果】
本発明の差動信号用ハーネスでは、特に高周波差動信号を伝送するケーブル部分を、同一外径の信号ケーブルの３本ツイスト撚り構成にすることで、優れたアイパターン特性が得られ、したがって高周波伝送特性が改善される。同時に、この３本ツイスト撚り構造体は撚り構造で形態が保持されるので、従来の金属テープによる一括被覆では得られなかった可撓性が実現され、ハーネス組立時の作業性も格段に改善される。
【図面の簡単な説明】
【図１】本発明にしたがって、同一外径の信号ケーブルの３本ツイスト撚り構造体を含む差動信号伝送用ハーネスの一例を示す平面図である。
【図２】上記同一外径の信号ケーブルの３本ツイスト撚り構造体の横断面図である。
【符号の説明】
１           信号ケーブル（単線）
１ａ         導体
１ｂ         絶縁体
２           同一外径の信号ケーブルの３本ツイスト撚り構造体
３           端子部
【図１】
0003964832.tif 000002
【図２】
0003964832.tif 000003